(57)【要約】  【課題】本発明は、袖口の内外両面の汚れを防止できる袖口カバーを提供することにある。  【解決手段】衣服の袖口に着脱可能に取り付けられる袖口カバーであって、柔軟性を有する材質で略筒状に形成され、袖口の内側部分を覆う内側カバー部と、内側カバー部の一端から連続して袖口の外側部分を覆う外側カバー部とを備えている。【選択図】図１
2006307396.tif 000002
【特許請求の範囲】
【請求項１】
衣服の袖口に着脱可能に取り付けられる袖口カバーであって、
前記袖口カバーが、柔軟性を有する材質で略筒状に形成され、袖口の内側部分を覆う内側カバー部と、内側カバー部の一端から連続して袖口の外側部分を覆う外側カバー部とが備えられていることを特徴とする袖口カバー。
【請求項２】
袖口カバーが、径方向に伸縮可能な伸縮性を有していることを特徴とする請求項１記載の袖口カバー。
【発明の詳細な説明】
【技術分野】
【０００１】
本発明は、衣服の袖口に着脱可能に取り付けられて、衣服の袖口に汚れが付着するのを防止する袖口カバーに関するものである。
【背景技術】
【０００２】
従来、この種のカバーとしては、衣服の袖部よりも大径の筒状に形成され、手首から肘近傍までを被覆可能な長さを有するとともに、両端部の径を縮径させてなる作業用の腕カバーが提案されている (例えば、特許文献１参照)。そして、この腕カバーは、衣服の袖口から肘近傍までを覆うように衣服の上から装着されて、衣服の袖部の外面に汚れが付着するのを防止している。
【特許文献１】特開平９−２９１４０５号公報
【発明の開示】
【発明が解決しようとする課題】
【０００３】
しかしながら、上記の腕カバーは、衣服の袖口から肘近傍までを覆うように衣服の上から装着されるため、衣服の外面に汚れが付着するのを防止できるものの、衣服の内面、特に皮膚と頻繁に接触して、汗、皮脂、垢などの汚れが付着しやすい袖口の内面に汚れが付着するのを防止することはできない。
本発明は、上記問題点に鑑みてなされたものであって、袖口の内外両面の汚れを防止できる袖口カバーを提供することにある。
【課題を解決するための手段】
【０００４】
本発明の袖口カバーは、衣服の袖口に着脱可能に取り付けられるものであって、柔軟性を有する材質で略筒状に形成され、袖口の内側部分を覆う内側カバー部と、内側カバー部の一端から連続して袖口の外側部分を覆う外側カバー部とを備えていることを特徴とするものである。また、袖口カバー部は、径方向に伸縮可能な伸縮性を有していることが好ましい。なお、衣服の袖口とは、衣服の身頃から延出する袖部の遊端側の開口部付近をいうものとする。
【発明の効果】
【０００５】
本発明にかかる袖口カバーによれば、衣服の袖口に着脱可能で、柔軟性を有する材質で略筒状に形成され、袖口の内側部分を覆う内側カバー部と、内側カバー部の一端から連続して袖口の外側部分を覆う外側カバー部とを備えているので、内側カバー部により袖口の内側部分に皮膚の汚れが付着するのを防止できるとともに、外側カバー部により袖口の外側部分に外部からの汚れが付着するのを防止でき、袖口の内外両面をいつも清潔に保つことができる。また、袖口を挟んで外側カバー部を内側カバー部に対して折り返すだけの簡単な手順で袖口に装着することができる。
【０００６】
また、袖口カバーが、径方向に伸縮可能な伸縮性を有しているものでは、袖口カバーを手首に挿通可能な径に拡開させることができるので、手首に対して容易に着脱できる。また、内側カバー部と外側カバー部とが適度な伸縮力で袖口を挟み込むので、袖口カバーが袖口から脱落するのを防止できる。さらに、袖口カバーを袖口とともに手首に密着させることができるので、袖口から冷たい空気や雨水などが袖の内部に入り込むのを防止できるという効果もある。
【発明を実施するための最良の形態】
【０００７】
以下、本発明にかかる袖口カバーの一実施形態について詳細に説明する。
【０００８】
本実施形態の袖口カバー１は、柔軟性および伸縮性を有するリブ編の編地素材で略筒状に形成されており、長さは約１５ｃｍで、着用者の手首の径よりもやや小さい内径を有している。そして、図１に示すように、袖口カバー１は、長さ方向略中央部から一端側に配置される内側カバー部２と、長さ方向略中央部から他端側に配置される外側カバー部３とから構成されており、外側カバー部３は、内側カバー部２とは異なる色柄で、内側カバー部２に連続して設けられている。
【０００９】
袖口カバー１の製造手順としては、例えば、長さ約１５ｃｍ，幅約２０ｃｍの略矩形で、長さ方向にリブが形成されたリブ編の編地を、表面Ｐを内側にして幅方向に二つ折りし、重なり合った幅方向端部４，５同士を縫着している。
【００１０】
次に、袖口カバー１の装着手順としては、まず、図２（ａ）に示すように、衣服の袖をたくし上げて、手首付近の皮膚を露出させ、筒内面側を表にした状態で、内側カバー部２が肘側、外側カバー部３が指先側となるように、袖口カバー１を手首部分に嵌める。
そして、図２（ｂ）に示すように、衣服の袖口の先端部が配置される位置に、内側カバー部２と外側カバー部３との境目部分を配置し、袖を元の位置に戻す。そして、外側カバー部３の表面が外側となるように、外側カバー部３の端部を折り返して、図２（ｃ）に示すように、外側カバー部３を袖口の外側部分に被せる。
【００１１】
このようにして、袖口カバー１を衣服の袖口に装着すると、内側カバー部２が袖口の内側部分を覆うとともに、手首付近の皮膚に密着する。また、外側カバー部３が袖口の外側部分を覆うとともに、袖口の外側から袖口を適度な伸縮性で締め付ける。つまり、袖口カバー１の有する伸縮性によって、袖口カバー１を袖口に確実に係着させることができるので、袖口の内側部分に皮膚の汚れが付着するのを防止できるとともに、袖口の外側部分に外部からの汚れが付着するのを防止でき、袖口の内外両面をいつも清潔に保つことができる。また、袖口カバー１を手首に挿通可能な径に拡開させることができるので、手首に対して容易に着脱できる。
また、内側カバー部２が手首付近の皮膚に密着するとともに、外側カバー部３が内側カバー部２から折り返されて袖口の外側から適度な締め付け力で袖口を締め付けるので、袖口カバー１を袖口とともに手首に密着させることができ、手首と衣服の袖口との間の隙間を塞ぐことができる。したがって、袖口から冷たい空気や雨水などが袖の内部に入り込むのを効果的に防止できる。
【００１２】
また、袖口カバー１は、径方向に伸縮可能な伸縮性を有しているので、袖口カバー１を装着した状態で袖をたくし上げると、袖口カバー１が、袖口に係着した状態で拡径方向に伸びながら袖と一体に移動し、そのたくし上げた位置において袖口を縮径方向に締め付ける。したがって、袖をたくし上げる必要がある場合には、容易かつ確実に袖を所望の位置にたくし上げ、その状態を維持することができる。
【００１３】
また、衣服の下に長袖の下着を着用している場合には、内側カバー部２と外側カバー部３との間に、衣服の袖口と下着の袖口の両方を介在させることにより、下着の袖口が衣服の袖口から見えてしまうのを防止することもできる。
【００１４】
本実施形態の袖口カバー１は、前記の優れた効果がある上、構造が簡単で、容易に製造できるため、大量生産に適しており、廉価に提供できるという利点もある。
【００１５】
なお、本実施形態の袖口カバー１は、柔軟性と伸縮性とを有しているが、必ずしも伸縮性を有さなくてもよく、内側カバー部２の上に外側カバー部３を折り返すことができる程度の柔軟性を有していればよい。
【００１６】
また、編組織は、リブ編の編地に限られず、プレーン編や模様編など他の編地であってもよい。また、編地に限られず、織地であってもよく、例えば、レース地、フリース地、タオル地などでもよい。レース地であれば、通気性がよい上、美観に優れる。フリース地であれば、感触がよい上、保温性に優れる。タオル地では、通気性がよい上、吸汗性に優れる。このように、素材の性質によって得られる効果も異なるため、様々な素材で形成して、目的や用途に応じて使い分けることが好ましい。
【００１７】
また、内側カバー部２と外側カバー部３とは、一枚の編地または織地でなくてもよく、別布を縫着して一体に形成してもよい。さらに、内側カバー部２と外側カバー部３とを異なる素材や色柄で構成してもよい。例えば、内側カバー部２を感触のよい素材で構成し、外側カバー部３を美観に優れた素材で構成してもよい。さらに、内側カバー部２と外側カバー部３とをそれぞれ美観の異なる素材や色柄で構成すれば、袖口への装着方向を逆にするだけで容易にファッションイメージを変えることができる。
【００１８】
また、本実施形態では、径方向に伸縮性を与えるためにリブ編で編成したが、これに限られず、例えば、ポリウレタン繊維などの弾性を有する繊維とともに編成した編組織としてもよいし、織地に弾性繊維を用いて伸縮性を持たせてもよい。また、繊維に紫外線吸収加工や、抗菌加工、防臭加工、撥水加工などを施してもよい。
【００１９】
さらに、編地の場合は、丸編機で筒状に編成された筒状編地で形成してもよい。筒状編地であれば、筒状に縫着する作業を不要とするので製造が容易である上、縫着部分がないので、着用時にごわつかず、袖口にフィットしやすい。
【図面の簡単な説明】
【００２０】
【図１】本発明にかかる一実施形態の袖口カバー１の外観図である。
【図２】（ａ）図１に示す袖口カバー１の装着手順を示す説明図である。（ｂ）図１に示す袖口カバー１の装着手順を示す説明図である。（ｃ）図１に示す袖口カバー１の装着手順を示す説明図である。
【符号の説明】
【００２１】
１  袖口カバー
２  内側カバー部
３  外側カバー部
【図１】
2006307396.tif 000003
【図２】
2006307396.tif 000004